(57)【要約】【課題】  コンクリート打設時の内部圧力の計測を正確に行うことができ、良好なコンクリート打設を行うことができるコンクリート打設時の内部圧力計測方法及びその装置を提供する。【解決手段】  コンクリート打設時の内部圧力計測装置において、コンクリート吐出口４付近に配置されるコンクリート吐出案内部（取付治具）５と、このコンクリート吐出案内部５の前記コンクリート吐出口４側に配置され、流動しているコンクリート１０近傍の内部圧力を検知する圧力検知装置６と、この圧力検知装置６によりコンクリート打設開始から打設完了まで内部圧力を検知し計測する手段を具備する。【選択図】  図１
2010037844.tif 000002
【特許請求の範囲】
【請求項１】
コンクリート吐出口付近においては打設完了時までコンクリートが流動しており硬化することがないことに着目し、前記コンクリート吐出口付近において流動しているコンクリート近傍で内部圧力を検知することより、コンクリート打設開始から打設完了まで内部圧力を計測することを特徴とするコンクリート打設時の内部圧力計測方法。
【請求項２】
（ａ）コンクリート吐出口付近に配置されるコンクリート吐出案内部と、
（ｂ）該コンクリート吐出案内部の前記コンクリート吐出口側に配置され、流動しているコンクリート近傍の内部圧力を検知する圧力検知装置と、
（ｃ）該圧力検知装置によりコンクリート打設開始から打設完了まで内部圧力を検知し、計測する手段を具備することを特徴とするコンクリート打設時の内部圧力計測装置。
【請求項３】
請求項２記載のコンクリート打設時の内部圧力計測装置において、コンクリートが充填される内空部が、型枠とトンネル壁面の不連続面とから形成されることを特徴とするコンクリート打設時の内部圧力計測装置。
【請求項４】
請求項２記載のコンクリート打設時の内部圧力計測装置において、コンクリートが充填される内空部が、型枠と吹付コンクリートの不連続面とから形成されることを特徴とするコンクリート打設時の内部圧力計測装置。
【請求項５】
請求項２記載のコンクリート打設時の内部圧力計測装置において、コンクリートが充填される内空部が、型枠と既設トンネルの裏込注入部から形成され、裏込注入を行うことを特徴とするコンクリート打設時の内部圧力計測装置。
【請求項６】
請求項２記載のコンクリート打設時の内部圧力計測装置において、コンクリートが充填される内空部が、型枠と覆工のはつり面から構成され、断面修復を行うことを特徴とするコンクリート打設時の内部圧力計測装置。
【請求項７】
請求項２記載のコンクリート打設時の内部圧力計測装置において、コンクリートが充填される内空部が、線路下横断構造物におけるエレメントであることを特徴とするコンクリート打設時の内部圧力計測装置。
【請求項８】
請求項２記載のコンクリート打設時の内部圧力計測装置において、コンクリートが充填される内空部が、セグメント又は内型枠とトンネル掘削時のトンネル壁面とから形成され、一次覆工の形成を行うことを特徴とするコンクリート打設時の内部圧力計測装置。
【請求項９】
請求項１から８の何れか一項記載のコンクリート打設時の内部圧力計測装置において、前記コンクリートはモルタルを含むことを特徴とするコンクリート打設時の内部圧力計測装置。
【発明の詳細な説明】
【技術分野】
【０００１】
本発明は、コンクリート打設時の内部圧力計測方法及びその装置に関するものである。
【背景技術】
【０００２】
従来、コンクリート打設時の内部圧力計測は、以下のように行われていた。
【０００３】
図８は従来のコンクリート打設時の内部圧力計測状態を示す模式図である。
【０００４】
この図において、１０１はコンクリート打設される内空部、１０２はその内空部１０１を区画する型枠、１０３はトンネル壁面又は吹付コンクリート等の不連続面、１０４は型枠１０２に形成されるコンクリート吐出口、１０５は型枠１０２上に配置される圧力検知装置、１０６はコンクリートポンプ、１０７はコンクリートポンプ１０６から押し出されるコンクリートをコンクリート吐出口１０４から吐出するための管路、１０８はその管路１０７に接続されるコンクリート圧力計測装置である。また、１０９はコンクリート、１１０は内空部１０１の下方の隅部である。
【０００５】
コンクリートの打設を開始すると、図８（ａ）に示すように、コンクリートポンプ１０６から管路１０７を経て供給されるコンクリート１０９は、コンクリート吐出口１０４から吐出される。吐出されたコンクリート１０９は、圧力検知装置１０５が配置される内空部１０１の下方の隅部１１０から溜まり始める。
【０００６】
コンクリートの打設が進むと、図８（ｂ）に示すように、コンクリート吐出口１０４から吐出されるコンクリート１０９は、内空部１０１に長時間かけて供給されていく。この間に、内空部１０１の下方の隅部１１０のコンクリート１０９は硬化が進む。
【０００７】
そして、図８（ｃ）に示すように、内空部１０１にはコンクリートが充填されてコンクリート打設は完了する。
【０００８】
これまで、以上のようなコンクリート打設工程において、コンクリート打設圧力を管理する必要があり内部圧力を計測する際は、コンクリート吐出口１０４の手前の管路１０７の口元における圧力をコンクリート圧力計測装置１０８によって測定するようにしていた。しかし、型枠１０２等の内部の圧力を正確に検知することはできなかった。
【０００９】
また、型枠１０２等内部の壁面に圧力検知装置１０５を取付けることにより内部圧力を計測することもできるが、長時間連続で行うコンクリート打設に使用する場合には、図８（ｂ）に示すように、型枠１０２の壁面付近ではコンクリート１０９の硬化が始まるため、それ以降の内部圧力の変動が検知できなかった。
【特許文献１】なし
【発明の開示】
【発明が解決しようとする課題】
【００１０】
上記したように、コンクリートの打設が長時間に及ぶと、圧力検知装置１０５付近ではコンクリート１０９の硬化が進む。そのため、内部圧力の変化を検知することができず、コンクリート打設時の正確な内部圧力の計測を行うことができないといった問題があった。
【００１１】
本発明は、上記状況に鑑みて、コンクリート打設時に正確な内部圧力の計測を行うことができ、コンクリート打設を良好に行うことができるコンクリート打設時の内部圧力計測方法及びその装置を提供することを目的とする。
【課題を解決するための手段】
【００１２】
本発明は、上記目的を達成するために、
〔１〕コンクリート打設時の内部圧力計測方法において、コンクリート吐出口付近においては打設完了時までコンクリートが流動しており硬化することがないことに着目し、前記コンクリート吐出口付近において流動しているコンクリート近傍で内部圧力を検知することより、コンクリート打設開始から打設完了まで内部圧力を計測することを特徴とする。
【００１３】
〔２〕コンクリート打設時の内部圧力計測装置において、コンクリート吐出口付近に配置されるコンクリート吐出案内部と、このコンクリート吐出案内部の前記コンクリート吐出口側に配置され、流動しているコンクリート近傍の内部圧力を検知する圧力検知装置と、この圧力検知装置によりコンクリート打設開始から打設完了まで内部圧力を検知し、計測する手段を具備することを特徴とする。
【００１４】
〔３〕上記〔２〕記載のコンクリート打設時の内部圧力計測装置において、コンクリートが充填される内空部が、型枠とトンネル壁面の不連続面とから形成されることを特徴とする。
【００１５】
〔４〕上記〔２〕記載のコンクリート打設時の内部圧力計測装置において、コンクリートが充填される内空部が、型枠と吹付コンクリートの不連続面とから形成されることを特徴とする。
【００１６】
〔５〕上記〔２〕記載のコンクリート打設時の内部圧力計測装置において、コンクリートが充填される内空部が、型枠と既設トンネルの裏込注入部から裏込注入を行うことを特徴とする。
【００１７】
〔６〕上記〔２〕記載のコンクリート打設時の内部圧力計測装置において、コンクリートが充填される内空部が、型枠と覆工のはつり面から構成され、断面修復を行うことを特徴とする。
【００１８】
〔７〕上記〔２〕記載のコンクリート打設時の内部圧力計測装置において、コンクリートが充填される内空部が、線路下横断構造物におけるエレメントであることを特徴とする。
【００１９】
〔８〕上記〔２〕記載のコンクリート打設時の内部圧力計測装置において、コンクリートが充填される内空部が、セグメント又は内型枠とトンネル掘削時のトンネル壁面とから形成され、一次覆工の形成を行うことを特徴とする。
【００２０】
〔９〕上記〔１〕から〔８〕の何れか一項記載のコンクリート打設時の内部圧力計測装置において、前記コンクリートはモルタルを含むことを特徴とする。
【発明の効果】
【００２１】
本発明によれば、コンクリート打設時に内部圧力の計測を正確に行うことができ、コンクリート打設を良好に行うことができる。
【発明を実施するための最良の形態】
【００２２】
本発明のコンクリート打設時の内部圧力計測方法は、コンクリート吐出口付近においては打設完了時までコンクリートが流動しており硬化することがないことに着目し、前記コンクリート吐出口付近において流動しているコンクリート近傍で内部圧力を検知することより、コンクリート打設開始から打設完了まで内部圧力を計測する。
【実施例】
【００２３】
以下、本発明の実施の形態について詳細に説明する。
【００２４】
図１は本発明の実施例を示すコンクリート打設時の内部圧力計測状態を示す模式図である。
【００２５】
この図において、１はコンクリート打設される内空部、２はその内空部１を区画する型枠、３はトンネル壁面又は吹付コンクリート等の不連続面、４は型枠２に形成されるコンクリート吐出口、５は型枠２に取り付けられるコンクリート吐出案内部（取付治具）、６はそのコンクリート吐出案内部５の上面（コンクリート案内面）に設置される圧力検知装置、７はコンクリートポンプ、８はコンクリートポンプ７から押し出されるコンクリートをコンクリート吐出口４から吐出するための管路、９はその管路８に接続されるコンクリート圧力計測装置、１０はコンクリートである。
【００２６】
コンクリートの打設を開始すると、図１（ａ）に示すように、コンクリートポンプ７から供給されるコンクリート１０は、管路８を経てコンクリート吐出口４から吐出される。吐出されたコンクリート１０は、コンクリート吐出案内部５に沿って流動し、内空部１に送られる。
【００２７】
コンクリートの打設が長時間に及ぶと、図１（ｂ）に示すように、内空部１の下方の隅部１３のコンクリート１０が硬化し始めるため、この付近では内部圧力の変動を計測することができない。
【００２８】
そこで、本発明では、コンクリート吐出口４近傍にコンクリート吐出案内部５を設けて、そこに圧力検知装置６を設置し、コンクリート吐出案内部５に沿って流動しているコンクリート近くの内部圧力を計測するようにした。
【００２９】
このように、コンクリート１０が流動しているコンクリート吐出口４付近で内部圧力を検知するように構成したので、内空部１の下方の隅部１３においてコンクリート１０の硬化が進んでも、図１（ｃ）に示すように、コンクリートの打設が完了するまで内部圧力を検知・計測することができる。
【００３０】
図２は本発明の実施例を示すコンクリートの打設時の内部圧力計測装置のコンクリート吐出案内部の拡大構成図、図３はその圧力検知装置を有するコンクリート吐出案内部の拡大図である。
【００３１】
これらの図に示すように、型枠２のコンクリート吐出口４の近傍にコンクリート吐出案内部５が取り付けられ、そのコンクリート吐出案内部５の上面（コンクリート案内面）に設置される圧力検知装置６でコンクリート打設時の正確な内部圧力の計測を行うことができる。圧力検知装置６にはコンクリート吐出案内部５の空洞部１２から配線ケーブル１１が接続される。なお、コンクリート吐出案内部（取付治具）５は、必要に応じて適宜型枠２から取り外すことができる。
【００３２】
図４は本発明を既設トンネルにおける裏込注入に適用した例を示す図である。
【００３３】
既設トンネルの覆工２１に型枠２２を設置して、その型枠２２にコンクリート吐出口２３とコンクリート吐出案内部２４を配置し、コンクリート吐出案内部２４には圧力検知装置２５を設置する。
【００３４】
そこで、コンクリート吐出口２３からコンクリートを注入し、既設トンネルの覆工２１の裏込注入２６を行う。
【００３５】
図５は本発明の既設トンネルにおける断面修復の例を示す図である。
【００３６】
この図において、３１は既設トンネルのトンネル覆工、３２は型枠、３３はコンクリート吐出口、３４はコンクリート吐出案内部、３５はコンクリート吐出案内部３４に設置されるは圧力検知装置であり、コンクリート吐出口からはモルタル３６を注入して断面修復を行う。
【００３７】
図６は本発明を線路下横断構造物におけるエレメント等中詰めコンクリート充填に適用した例を示す図であり、図６（ａ）は線路下横断構造物を示す図、図６（ｂ）は線路下横断構造物の角形エレメントを示す図、図６（ｃ）は他の線路下横断構造物の丸形エレメントを示す図、図６（ｄ）はその線路下横断構造物のエレメントを形成するコンクリート注入状況を示す図である。
【００３８】
この図において、４１は線路、４２は線路下横断構造物におけるエレメント、４３はこのエレメントを得るためのコンクリート吐出口、４４はコンクリート吐出案内部、４５はそのコンクリート吐出案内部４４に設置される圧力検知装置である。
【００３９】
そこで、コンクリート吐出口４３からコンクリートを注入し、線路下横断構造物におけるエレメント４２のコンクリート充填を行う。
【００４０】
図７は本発明をトンネル掘削時の一次覆工を形成するためのコンクリート打設に適用した例を示す図である。
【００４１】
この図において、５１はトンネル掘削機械、５２はセグメントや内型枠、５３はコンクリート打設部、５４はコンクリート吐出口、５５はコンクリート吐出案内部、５６はそのコンクリート吐出案内部５５に配置される圧力検知装置である。
【００４２】
そこで、コンクリート吐出口５４からコンクリートを注入し、トンネル掘削時の一次覆工を形成するためのコンクリート打設を行うことができる。
【００４３】
なお、本発明は上記実施例に限定されるものではなく、本発明の趣旨に基づき種々の変形が可能であり、これらを本発明の範囲から排除するものではない。
【産業上の利用可能性】
【００４４】
本発明のコンクリート打設時の内部圧力計測方法及びその装置は、コンクリート打設時の正確な内部圧力の計測が可能で、コンクリート打設を良好に行うためのツールとして利用可能である。
【図面の簡単な説明】
【００４５】
【図１】本発明の実施例を示すコンクリート打設時の内部圧力計測状況を示す模式図である。
【図２】本発明の実施例を示すコンクリート打設時の内部圧力計測装置のコンクリート吐出案内部の拡大構成図である。
【図３】本発明の実施例を示すコンクリート打設時の内部圧力計測装置の圧力検知装置を有するコンクリート吐出案内部の拡大図である。
【図４】本発明を既設トンネルにおける裏込注入に適用した例を示す図である。
【図５】本発明の既設トンネルにおける断面修復の例を示す図である。
【図６】本発明を線路下横断構造物におけるエレメント等中詰めコンクリート充填に適用した例を示す図である。
【図７】本発明をトンネル掘削時の一次覆工を形成するためのコンクリート打設に適用した例を示す図である。
【図８】従来のコンクリート打設の模式図である。
【符号の説明】
【００４６】
１    コンクリート打設される内空部
２，２２，３２    型枠
３    トンネル壁面又は吹付コンクリート等の不連続面
４，２３，３３，４３，５４    コンクリート吐出口
５，２４，３４，４４，５５    コンクリート吐出案内部（取付治具）
６，２５，３５，４５，５６    圧力検知装置
７    コンクリートポンプ
８    管路
９    コンクリート圧力計測装置
１０    コンクリート
１１    配線ケーブル
１２    空洞部
１３    内空部の下方の隅部
２１，３１    既設トンネルの覆工
２６    裏込注入
３６    モルタル
４１    線路
４２    線路下横断構造物におけるエレメント
５１    トンネル掘削機械
５２    セグメントや内型枠
５３    裏込注入部
【図１】
2010037844.tif 000003
【図２】
2010037844.tif 000004
【図３】
2010037844.tif 000005
【図４】
2010037844.tif 000006
【図５】
2010037844.tif 000007
【図６】
2010037844.tif 000008
【図７】
2010037844.tif 000009
【図８】
2010037844.tif 000010